(57)【特許請求の範囲】
【請求項１】
導電性の素線をチューブ形状に編んだもので柔軟性と伸縮性を有し、複数本の電線を外側から覆ってそれら電線から発生する電磁波を吸収してシールドする編組であって、
前記編組の元のチューブ内径が前記電線の複数本を束ねた太さよりも大きく、元のチューブ長さが電線の長さよりも短く、その編組を内部で電線に接触するチューブ外径になるまで且つ電線の長さにほぼ相当する長さになるまで細長く引き伸ばして縮径部を形成し、この縮径部の外側に導電性の保形部材を装着することによって縮径部を引き伸ばしたチューブ外径および長さに維持させてなっていることを特徴とする電磁波シールド編組。
【請求項２】
前記導電性の保形部材が、縮径部の全長にわたってその外周に螺旋状に捲回されたスパイラルチューブ、または縮径部の両端部のそれぞれに外側から装着されて内部の電線と共に固定するクリップ、または縮径部の全長にほぼ相当する長さで所要の剛性を有するつなぎ棒の両端部にそれぞれクリップ部を備え、これらクリップ部を縮径部の両端部に外側から装着して内部の電線と共に固定する支持ロッドのいずれかであることを特徴とする請求項１に記載の電磁波シールド編組。
【発明の詳細な説明】
【０００１】
【発明の属する技術分野】
本発明は、特に電気自動車に搭載のモータの入出力端子、あるいは一般電子電気機器の入出力端子に接続される電線・ケーブルやワイヤハーネスを外側から覆って電磁波シールドする編組に関する。
【０００２】
【従来の技術】
近年、自動車は弱電回路や電子回路がますます増加の一途をたどっており、配索電線の大電流・高電圧化が進むなかで電磁波ノイズに弱い弱電回路を保護し、また電磁波ノイズの影響で電子回路における各種センサの検出精度を低下させないように有効かつ低コストの電磁波シールド対策が求められている。
【０００３】
例えば、電気自動車に搭載されたモータの場合、その入出力端子に接続される大電流・高電圧の電源電線やケーブルなどから発生する電磁波によって外部機器への影響を防ぎ、また外部からの電磁波影響から防止するために、有効な電磁波シールド対策が求められる。
【０００４】
図４は、複数本の電線１０を束ねた上から導電性の金属素線を筒状に編んだ編組１４で覆い、この編組１４を導電性シールドターミナルとして筒状の金属製シェル１５に接続し、金属製シェル１５をフランジ部１５ａでボルト１６によって例えばモータの外板ケースＢのごとき被取付体に結合した構造を示している。編組１４の裾端部１４ａは固定バンド１７をかしめるなどして圧着して金属製シェル１５の外周全周に圧接させている。また、電線１０の端末の導体１１に端子金具１３がかしめなどして圧着され、電線端末とその端子金具１３を外板ケースＢに設けた電線引き込み口ｂ１から挿入して、端子金具１３をボルトでモータ入出力端子に接続して電気的導通を図っている。この場合、外板ケースＢをアース接地Ｇすることにより、電線１０から発生する電磁波を、編組１４→金属製シェル１５→外板ケースＢ→アース接地Ｇというシールド導通経路を成立させて吸収している。
【０００５】
編組１４は上記金属素線を編んだものの他に、ポリエステルなどの樹脂線にＣｕ（銅）メッキ仕上げした素線をスパイラルに巻き付けたものを網目素線とし、それを筒状に編んだものも周知である。
【０００６】
【発明が解決しようとする課題】
ところで、この図４に示す電磁波シールド構造に用いられた編組１４の場合、次の点に問題がある。
▲１▼製造工程で長尺の電線１０を編組１４に通して組み入れるが、その場合挿入し易くして作業能率を高めるために、編組１４のチューブ外径に余裕をもたせた大きいものを用いるようにしている。しかし、電線１０に対応する長さの大きなサイズ径の編組１４を用いるのではコストが高くついて不利である。
▲２▼そのように編組１４のサイズ径に余裕をもたせると、それが逆効果となって編組内部で複数本の電線１０同士が互いに車体振動などで擦れ合い、電線１０の被覆体１２が摩耗などして耐久性を損なう不都合がある。
▲３▼上記▲１▼，▲２▼に関連して、編組１４の内部で電線１０との間に余裕のスペースがある場合はシールド不導通個所が発生し易く、満足すべき電磁波シールド性能が得られない。
【０００７】
以上から、本発明の目的は、特に大電流・高電圧の配索電線から発生する電磁波に対して所要のシールド性能が得られ、種類の異なる電線の線径など大きさや本数に対応できる電磁波シールド編組を提供することにある。
【０００８】
【課題を解決するための手段】
上記目的を達成するために、本発明にかかる請求項１に記載の電磁波シールド編組は、導電性の素線をチューブ形状に編んだもので柔軟性と伸縮性を有し、複数本の電線１を外側から覆ってそれら電線１から発生する電磁波を吸収してシールドする編組５であり、この編組５の元のチューブ内径が前記電線１の複数本を束ねた太さよりも大きく、元のチューブ長さＬ２が電線１の長さＬ１よりも短く、その編組５を内部で電線１に接触するチューブ外径ｄになるまで且つ電線１の長さＬ１にほぼ相当する長さになるまで細長く引き伸ばして縮径部５ｂを形成し、この縮径部５ｂの外側に導電性の保形部材を装着することによって、縮径部５ｂを引き伸ばしたチューブ外径ｄおよび長さに維持させてなっていることを特徴とする。
【０００９】
したがって、次のように作用する。
▲１▼図１に示すように、用意される編組５は長さＬ２が短く外径Ｄが太いものであり、その短く太い編組５を柔軟性と伸縮性を利用して細長く引き伸ばして長い電線１に対応させる。引き伸ばして形成した編組５の縮径部５ｂの長さＬ３と外径ｄの寸法を、図２に示す導電性のスパイラルチューブ６のごとき保形部材で維持させる。
したがって、短く太い編組５に電線１の数本を挿通させる作業が容易になり、また長さや線径の異なる数種の電線１に対して無駄なく使用でき、汎用性が広く経済的である。
▲２▼引き伸ばされた縮径部５ｂはその内面が内部の複数本の電線１に密着するか、あるいは適度に接触する程度の外径ｄになるよう設定されている。
したがって、複数本の各電線１に対して編組５のシールド不導通がほとんどなくなり、各電線１から発生する電磁波を吸収して満足すべき電磁波シールド性能を得ることができる。また、そうした編組５の内面との各電線１の適度な接触によって、電線１同士が振動などで互いに擦れ合うことがなくなり、摩耗などに対して電線１の耐久性も向上する。
▲３▼保形部材は導電性の材料で形成されたものである。そうした保形部材を編組５の外周に装着して接触させ、つまり編組５の網目の導電性素線のすべてに保形部材を接触させている。
したがって、その保形部材をアース接地してグランドに落とすことにより、編組５の導電性素線のすべてが互いに電気的な導通状態につながり、電線１に発生した電磁波を効果的に吸収して電磁波シールド機能が高められる。
【００１０】
また、請求項２に記載の電磁波シールド編組は、前記導電性の保形部材が、縮径部５ｂの全長にわたってその外周に螺旋状に捲回されたスパイラルチューブ６、または縮径部５ｂの両端部のそれぞれに外側から装着されて内部の電線１と共に固定するクリップ７、または縮径部５ｂの全長にほぼ相当する長さで所要の剛性を有するつなぎ棒８ａの両端部にそれぞれクリップ部８ｂを備え、それらクリップ部８ｂを縮径部５ｂの両端部に外側から装着して内部の電線１と共に固定する支持ロッド８のいずれかであることを特徴とする。
【００１１】
すなわち、導電性の保形部材の具体例として、スパイラルチューブ６，クリップ７および支持ロッド８のいずれかを使用すれば、編組５に細長く引き伸ばして形成した縮径部５ｂのチューブ外径ｄと長さＬ３を簡易に維持させることができ、種類の異なる電線１に対応させることができる。
【００１２】
【発明の実施の形態】
以下、本発明にかかる電磁波シールド編組の実施の形態について、図面を参照して詳細に説明する。
図１において、例えば３本からなる電線・ケーブルやワイヤハーネス（以下、電線と総称する）１が、例えば図４に示された電気自動車のモータの入出力端子などに電源線として接続させるために車体に引き回して配索される。電線１は、この場合銅線などの導体１ａ上に絶縁体１ｂを押出し被覆してなっており、端末の絶縁体１ｂを皮剥処理して剥き出しにした導体１ａにＬＡ端子などの端子金具２をかしめ部２ａでかしめ加工して圧着している。そうした電線１の一方側と他方側の各端末に電気コネクタ３，４が接続され、一方側の電気コネクタ３を介して端子金具２が上記モータのアルミニウム製などの外板ケースＢを被取付体にして、これに貫通して設けた電線引き込み口ｂ１から引き込まれ、モータ入出力端子に接続されるようになっている。
【００１３】
その際、電線１に流れる大電流・高電圧のために電磁波の影響が他機器に及ばないよう、３本束ねた電線１を外側から編組５で覆い、電線１に発生した電磁波を吸収する。編組５の両端は上記電気コネクタ３，４に接続されている。
【００１４】
編組５は、導電性の金属素線を筒状に編んだもの、またポリエステルなどの樹脂線にＣｕ（銅）メッキ仕上げした素線をスパイラルに巻き付けたものを網目素線としてそれを筒状に編んだものが周知である。いずれの場合の編組５もその長手方向へ細長く引き伸ばすことができる柔軟性と伸縮性が備わっている。
【００１５】
そこで、図１に示すように、配索される電線１の長さがいま寸法Ｌ１である場合、その電線長さＬ１よりも格段に短い長さＬ２の編組５が用意される。また、編組５のチューブ内径は３本の電線１を束ねた太さよりも十分に大きく、それら３本の電線１を１本ずつまたは一緒に編組５に通す作業がなんら支障なく円滑に行われるようになっている。
【００１６】
電線１を編組５に挿通させてセット後、図２に示すように、編組５の両端にはそれぞれ電気コネクタ３，４が接続される。その電気コネクタ３，４のいずれか一方側を保持して固定した状態で他方側から引張力を加え、編組５の当初の長さＬ２が電線１の長さＬ１にほぼ同等になるまで細長く引き伸ばす。そのようにして、編組５に当初のチューブ内径Ｄによる両端部５ａを残し、細長く引き伸ばされて長さＬ３とチューブ外径ｄを有する縮径部５ｂを形成する。この縮径部５ｂは内部で３本の電線１に密着もしくは接触する適度なチューブ径になるまで引き伸ばされている。
【００１７】
そこで、引き伸ばされた縮径部５ｂの長さＬ３とチューブ外径ｄに維持するために、本発明でいう要旨部材の保形部材として、その縮径部５ｂの全長にわたって外周に導電性の針金のごとき線材、あるいは導電性テープを螺旋状に巻き付けたスパイラルチューブ６を装着している。
【００１８】
このようにスパイラルチューブ６を保形部材として引き伸ばされた縮径部５ｂの外周に巻き付けることにより、縮径部５ｂは設定された長さＬ３とチューブ外径ｄを維持することができる。すなわち、編組５の当初の短い長さＬ２のものを引き伸ばすことによって、異なる種類の電線１の長さＬ１に対応させることができ、それだけ編組５の材料コストなどを抑えることができる。また、細長く引き伸ばした編組５の縮径部５ｂでは内部で３本の電線１に接触しているので、シールド不導通が免れて満足すべき電磁波シールド性能が得られる。さらには、縮径部５ｂで外側から内部の３本の電線１が押さえられるので、電線１同士が互いに擦れ合うこともなく、電線１の被覆絶縁体などが摩耗に対して耐久性を高めることができる。
【００１９】
一方、保形部材として上記スパイラルチューブ６に代えて、図３（ａ）に示すクリップ７を用いることができる。この場合、導電性の金属またはプラスチックで筒状に成形され、筒体の一部を切欠して形成したスリット７ａから押し広げるようにして編組５の縮径部５ｂの一方側と他方側の両端にそれぞれ装着させ、弾性力で外側から押さえて縮径部５ｂと内部の３本の電線１を共に固定するようになっている。
【００２０】
また、図３（ｂ）に示すように、上記スパイラルチューブ６に代えて導電性の支持ロッド８を用いることもできる。この支持ロッド８の場合、縮径部５ｂの長さＬ３（図２参照）にほぼ対応した長さのつなぎ棒８ａを有し、このつなぎ棒８ａは不用意に撓まないだけの腰の強さと剛性をもつ金属製またはプラスッチク製である。そうしたつなぎ棒８ａの両端部に図３（ａ）で示されたクリップ７と同じ機能のスリット８ｃ付きのクリップ部８ｂが一体に設けられている。したがって、支持ロッド８をこの両端部のクリップ部８ｂで縮径部５ｂに装着すると、つなぎ棒８ａが突っ張った状態になって縮径部５ｂを細長く引き伸ばした状態の長さＬ３とチューブ外径ｄにそれぞれ維持する。
【００２１】
なお、保形部材として上記の各部材を示したが、本発明の技術思想を満足する形状や機能を備えておれば、それらに限定されない。
【００２２】
【発明の効果】
以上説明したように、本発明にかかる請求項１に記載の電磁波シールド編組は、短く太い編組に電線の数本を挿通させる作業が容易になり、また長さや線径の異なる数種の電線に対して無駄なく使用でき、汎用性が広く経済的である。また、複数本の各電線に対して編組のシールド不導通がほとんどなくなり、各電線から発生する電磁波を吸収して満足すべき電磁波シールド性能を得ることができる。また、そうした編組の内面との各電線の適度な接触によって、電線同士が振動などで互いに擦れ合うことがなくなり、摩耗などに対して電線の耐久性も向上する。
【００２３】
また、請求項２に記載の電磁波シールド編組は、導電性の保形部材の具体例として、スパイラルチューブ，クリップおよび支持ロッドなどのいずれかを使用すれば、編組に細長く引き伸ばして形成した縮径部のチューブ外径と長さを簡易に維持させることができ、種類の異なる電線にできて汎用性がある。
【図面の簡単な説明】
【図１】本発明にかかる電磁波シールド用の編組を複数本の電線の外側から覆った状態を示す側面図である。
【図２】その編組に導電性の保形部材であるスパイラルチューブを装着して細長く引き伸ばして所要のチューブ外径と長さを維持する態様を示す側面図である。
【図３】同図（ａ），（ｂ）は、他の保形部材であるクリップと支持ロッドを示すそれぞれの斜視図である。
【図４】従来の電磁波シールド編組の一例を示す組立側面断面図である。
【符号の説明】
１        ：電線
２        ：端子金具
３，４    ：電気コネクタ
５        ：編組
５ａ      ：編組の両端部
５ｂ      ：編組の縮径部
６        ：スパイラルチューブ（導電性の保形部材）
７        ：クリップ（導電性の保形部材）
８        ：支持ロッド（導電性の保形部材）
７ａ，８ｃ：スリット
８ａ      ：つなぎ棒
８ｂ      ：クリップ部
Ｌ１      ：電線長さ
Ｌ２      ：編組の原形長さ
Ｌ３      ：縮径部の長さ
Ｄ        ：編組の原形チューブ内径
ｄ        ：縮径部のチューブ外径
【図１】
0003786594.tif 000002
【図２】
0003786594.tif 000003
【図３】
0003786594.tif 000004
【図４】
0003786594.tif 000005